(57)【要約】【課題】受信メールが既読のメールであるか未読のメールであるかを正しく表示する携帯端末装置を得ること。【解決手段】電子メールを送受信するとともに、受信メールに関する情報を表示する携帯端末装置において、受信メールの本文を表示画面に表示する画面表示部１２と、本文の末尾が表示画面に表示されたか否かを検出する末尾表示検出部４１と、受信メールが既読状態のメールであるか未読状態のメールであるかの既読未読状態を管理するとともに、本文の末尾が表示画面に表示されたことを末尾表示検出部４１が検出した場合に、本文の末尾が検出された受信メールの既読未読状態を既読状態として管理する既読未読設定部４２と、を備える。【選択図】        図３
2009075844.tif 000002
【特許請求の範囲】
【請求項１】
電子メールを送受信するとともに、受信メールに関する情報を表示する携帯端末装置において、
前記受信メールの本文を表示画面に表示する表示部と、
前記本文の末尾が前記表示画面に表示されたか否かを検出する末尾検出部と、
前記受信メールが既読状態のメールであるか未読状態のメールであるかの既読未読状態を管理するとともに、前記本文の末尾が前記表示画面に表示されたことを前記末尾検出部が検出した場合に、前記本文の末尾が検出された受信メールの既読未読状態を既読状態として管理する既読未読管理部と、
を備えることを特徴とする携帯端末装置。
【請求項２】
前記表示部は、前記受信メールの一覧を前記表示画面に表示するとともに、
前記既読未読管理部は、前記表示部が前記受信メールの一覧を前記表示画面に表示する際に、前記既読未読状態を示す情報を前記各受信メールに対応付けて前記表示画面に表示させることを特徴とする請求項１に記載の携帯端末装置。
【請求項３】
前記末尾検出部は、前記本文の末尾が前記表示画面に所定時間表示された場合に、前記本文の末尾が前記表示画面に表示されたことを検出することを特徴とする請求項１または２に記載の携帯端末装置。
【請求項４】
電子メールを送受信するとともに、受信メールに関する情報を表示する携帯端末装置において、
前記受信メールの一覧および当該一覧内で選択されている前記受信メールの本文を、それぞれ一覧表示画面および本文表示画面として同時に表示する表示部と、
キー入力される、前記受信メールの表示に関する指示を受け付けるキー操作部と、
前記表示部が前記本文表示画面および前記一覧表示画面を同時に表示している状態で前記キー操作部から前記本文の表示態様を変更させる指示がキー入力されると、前記キー操作部にキー入力された指示に従って前記本文の表示態様を変更するよう前記表示部を制御する表示態様制御部と、
を備えることを特徴とする携帯端末装置。
【請求項５】
前記本文の表示態様を変更させる指示と、前記本文を表示させる受信メールを前記一覧内で指定する指示とは、それぞれ前記キー操作部の異なるキーに対応付けられていることを特徴とする請求項４に記載の携帯端末装置。
【請求項６】
前記表示態様制御部は、前記本文の表示態様に応じた表示態様で前記一覧の表示態様を変更するよう前記表示部を制御することを特徴とする請求項４または５に記載の携帯端末装置。
【請求項７】
電子メールを送受信するとともに、受信メールに関する情報を表示するメール表示方法をコンピュータに実行させるメール表示プログラムにおいて、
前記受信メールの本文を表示画面に表示する表示手順と、
前記本文の末尾が前記表示画面に表示されたか否かを検出する末尾検出手順と、
前記本文の末尾が前記表示画面に表示されたことを検出すると、前記本文の末尾が検出された受信メールが既読状態のメールであるか未読状態のメールであるかの既読未読状態を既読状態として管理する既読未読管理手順と、
をコンピュータに実行させることを特徴とするメール表示プログラム。
【請求項８】
電子メールを送受信するとともに、受信メールに関する情報を表示するメール表示方法をコンピュータに実行させるメール表示プログラムにおいて、
前記受信メールの本文および前記受信メールの一覧を、それぞれ本文表示画面および一覧表示画面として同時に表示する同時表示手順と、
キー入力される前記受信メールの表示に関する指示を受け付けるキー操作手順と、
前記本文表示画面および前記一覧表示画面を同時に表示している状態で前記本文の表示態様を変更させる指示がキー入力されると、キー入力された指示に従って前記本文の表示態様を変更するよう制御する表示態様制御手順と、
をコンピュータに実行させるメール表示プログラム。
【請求項９】
電子メールを送受信するとともに、受信メールに関する情報を表示するメール表示方法において、
前記受信メールの本文を表示画面に表示する表示ステップと、
前記本文の末尾が前記表示画面に表示されたか否かを検出する末尾検出ステップと、
前記本文の末尾が前記表示画面に表示されたことを検出すると、前記本文の末尾が検出された受信メールが既読状態のメールであるか未読状態のメールであるかの既読未読状態を既読状態として管理する既読未読管理ステップと、
をコンピュータに実行させることを特徴とするメール表示方法。
【請求項１０】
電子メールを送受信するとともに、受信メールに関する情報を表示するメール表示方法において、
前記受信メールの本文および前記受信メールの一覧を、それぞれ本文表示画面および一覧表示画面として同時に表示する同時表示ステップと、
キー入力される前記受信メールの表示に関する指示を受け付けるキー操作ステップと、
前記本文表示画面および前記一覧表示画面を同時に表示している状態で前記本文の表示態様を変更させる指示がキー入力されると、キー入力された指示に従って前記本文の表示態様を変更するよう制御する表示態様制御ステップと、
をコンピュータに実行させるメール表示方法。
【発明の詳細な説明】
【技術分野】
【０００１】
この発明は、受信メールの表示を行なう携帯端末装置、メール表示プログラムおよびメール表示方法に関するものである。
【背景技術】
【０００２】
近年、通信技術の発展に伴い、携帯端末装置（携帯電話機など）によってメールを送受信する機会が増えている。このような携帯端末装置では、液晶モニタなどの表示画面上にメールに関する種々の情報を適切に表示することによって、メール機能の使い勝手が良くなる。
【０００３】
特許文献１に記載の携帯電話機では、１つの表示部に対し、受信メールの一覧画面と、受信メールの詳細画面と、を表示している。そして、受信メールの詳細画面には、受信メールの一覧画面で選択された受信メールの本文などを表示している。これにより、携帯電話機の使用者は、受信メールの一覧を表示させつつ、この一覧から選択した受信メールの本文を閲覧している。
【０００４】
【特許文献１】特開２００５−７７９３６号公報
【発明の開示】
【発明が解決しようとする課題】
【０００５】
しかしながら、上記従来の技術では、十字キーの上下キーを押下することによって、一覧表示させた受信メールの中から所望の受信メールを選択しているので、閲覧したい受信メールを選択する場合には、一覧画面上での受信メールの選択位置（選択状態）を上下に移動させる必要がある。このため、受信メールの選択位置は、閲覧しない受信メールの選択位置を通過しながら、閲覧したい受信メールの選択位置まで移動する場合がある。このような場合、受信メールの選択位置を通過しただけの受信メールに対して、この受信メールが実際に閲覧されたメールであるか受信メールの選択位置を通過しただけのメールであるかを判断できないといった問題があった。したがって、各受信メールが既読のメールであるか未読のメールであるかを画面上に正しく表示できなかった。
【０００６】
この発明は、上述した従来技術による問題点を解消するためになされたものであり、受信メールが既読のメールであるか未読のメールであるかを正しく表示する携帯端末装置、メール表示プログラムおよびメール表示方法を提供することを目的とする。
【課題を解決するための手段】
【０００７】
上述した課題を解決し、目的を達成するため、本発明は、電子メールを送受信するとともに、受信メールに関する情報を表示する携帯端末装置において、前記受信メールの本文を表示画面に表示する表示部と、前記本文の末尾が前記表示画面に表示されたか否かを検出する末尾検出部と、前記受信メールが既読状態のメールであるか未読状態のメールであるかの既読未読状態を管理するとともに、前記本文の末尾が前記表示画面に表示されたことを前記末尾検出部が検出した場合に、前記本文の末尾が検出された受信メールの既読未読状態を既読状態として管理する既読未読管理部と、を備えることを特徴とする。
【０００８】
また、本発明は、上記の発明において、前記表示部は、前記受信メールの一覧を前記表示画面に表示するとともに、前記既読未読管理部は、前記表示部が前記受信メールの一覧を前記表示画面に表示する際に、前記既読未読状態を示す情報を前記各受信メールに対応付けて前記表示画面に表示させることを特徴とする。
【０００９】
また、本発明は、上記の発明において、前記末尾検出部は、前記本文の末尾が前記表示画面に所定時間表示された場合に、前記本文の末尾が前記表示画面に表示されたことを検出することを特徴とする。
【００１０】
また、本発明は、電子メールを送受信するとともに、受信メールに関する情報を表示する携帯端末装置において、前記受信メールの本文および前記受信メールの一覧を、それぞれ本文表示画面および一覧表示画面として同時に表示する表示部と、キー入力される、前記受信メールの表示に関する指示を受け付けるキー操作部と、前記表示部が前記本文表示画面および前記一覧表示画面を同時に表示している状態で前記キー操作部から前記本文の表示態様を変更させる指示がキー入力されると、前記キー操作部にキー入力された指示に従って前記本文の表示態様を変更するよう前記表示部を制御する表示態様制御部と、を備えることを特徴とする。
【００１１】
また、本発明は、上記の発明において、前記本文の表示態様を変更させる指示と、前記本文を表示させる受信メールを前記一覧内で指定する指示とは、それぞれ前記キー操作部の異なるキーに対応付けられていることを特徴とする。
【００１２】
また、本発明は、上記の発明において、前記表示態様制御部は、前記本文の表示態様に応じた表示態様で前記一覧の表示態様を変更するよう前記表示部を制御することを特徴とする。
【００１３】
また、本発明は、電子メールを送受信するとともに、受信メールに関する情報を表示するメール表示方法をコンピュータに実行させるメール表示プログラムにおいて、前記受信メールの本文を表示画面に表示する表示手順と、前記本文の末尾が前記表示画面に表示されたか否かを検出する末尾検出手順と、前記本文の末尾が前記表示画面に表示されたことを検出すると、前記本文の末尾が検出された受信メールが既読状態のメールであるか未読状態のメールであるかの既読未読状態を既読状態として管理する既読未読管理手順と、をコンピュータに実行させることを特徴とする。
【００１４】
また、本発明は、電子メールを送受信するとともに、受信メールに関する情報を表示するメール表示方法をコンピュータに実行させるメール表示プログラムにおいて、前記受信メールの本文および前記受信メールの一覧を、それぞれ本文表示画面および一覧表示画面として同時に表示する同時表示手順と、キー入力される前記受信メールの表示に関する指示を受け付けるキー操作手順と、前記本文表示画面および前記一覧表示画面を同時に表示している状態で前記本文の表示態様を変更させる指示がキー入力されると、キー入力された指示に従って前記本文の表示態様を変更するよう制御する表示態様制御手順と、をコンピュータに実行させることを特徴とする。
【００１５】
また、本発明は、電子メールを送受信するとともに、受信メールに関する情報を表示するメール表示方法において、前記受信メールの本文を表示画面に表示する表示ステップと、前記本文の末尾が前記表示画面に表示されたか否かを検出する末尾検出ステップと、前記本文の末尾が前記表示画面に表示されたことを検出すると、前記本文の末尾が検出された受信メールが既読状態のメールであるか未読状態のメールであるかの既読未読状態を既読状態として管理する既読未読管理ステップと、を含むことを特徴とする。
【００１６】
また、本発明は、電子メールを送受信するとともに、受信メールに関する情報を表示するメール表示方法において、前記受信メールの本文および前記受信メールの一覧を、それぞれ本文表示画面および一覧表示画面として同時に表示する同時表示ステップと、キー入力される前記受信メールの表示に関する指示を受け付けるキー操作ステップと、前記本文表示画面および前記一覧表示画面を同時に表示している状態で前記本文の表示態様を変更させる指示がキー入力されると、キー入力された指示に従って前記本文の表示態様を変更するよう制御する表示態様制御ステップと、を含むことを特徴とする。
【発明の効果】
【００１７】
本発明によれば、本文の末尾が表示画面に表示された場合に受信メールを既読状態として管理するので、受信メールが既読のメールであるか未読のメールであるかを正しく表示することができるという効果を奏する。
【００１８】
また、本発明によれば、受信メールの一覧を表示する際に、既読未読状態を各受信メールに対応付けて表示させるので、各受信メールが既読のメールであるか未読のメールであるかを容易に表示することができるという効果を奏する。
【００１９】
また、本発明によれば、本文の末尾が所定時間表示された場合に本文の末尾が表示されたことを検出するので、誤操作によって受信メールのメール本文を表示させてしまった場合であっても、その表示時間が所定の時間よりも短かければ、未読のメールとして管理でき、受信メールが既読のメールであるか未読のメールであるかを正しく表示することができるという効果を奏する。
【００２０】
また、本発明によれば、受信メールの本文および受信メールの一覧を同時に表示しながらキー入力された指示に従って本文の表示態様を変更させるので、少ない操作回数で本文の表示態様を変更させながら本文を容易に表示させることが可能になるという効果を奏する。
【００２１】
また、本発明によれば、本文の表示態様を変更させる指示と、本文を表示させる受信メールを一覧内で指定する指示とを、を異なるキーに対応付けているので、本文の表示態様の変更や本文を表示させる受信メールの指定を、少ない操作回数で容易に行なうことが可能になるという効果を奏する。
【００２２】
また、本発明によれば、本文の表示態様に応じた表示態様で一覧の表示態様を変更するので、本文の表示に関する指示を一覧にも容易に反映することが可能になるという効果を奏する。
【発明を実施するための最良の形態】
【００２３】
以下に添付図面を参照して、この発明に係る携帯端末装置、メール表示プログラム、メール表示方法、携帯端末装置に用いられる制御回路の好適な実施の形態を詳細に説明する。なお、この実施例によりこの発明が限定されるものではない。
【実施例】
【００２４】
まず、図１および図２を用いて本実施例に係るメール表示の概念について説明する。図１および図２は、実施例に係るメール表示の概念を説明するための説明図である。携帯端末装置（携帯電話機など）１は、受信メールを表示する際に、表示画面にメール一覧画面（一覧表示画面）２１を表示し、このメール一覧画面２１から使用者に所定の受信メールを選択させることによって、選択させた受信メールのメール本文画面（本文表示画面）２２を表示する装置である。
【００２５】
携帯端末装置１は、メール（電子メール）を受信するとこの受信メールの題名や受信日などをメール一覧画面２１に表示する。このとき、メール一覧画面２１では、受信メールが未読のメールであること（未読状態を示す情報）を表示しておく（１）。そして、メール一覧画面２１に表示している未読の受信メールが使用者によってメール一覧画面２１上で選択されると、携帯端末装置１は、選択された受信メールのメール本文をメール本文画面２２として表示する（２）。
【００２６】
この後、使用者によってメール本文画面２２上でメール本文のスクロール操作（スクロール処理）が行なわれると（３）、携帯端末装置１は、メール本文画面２２上でメール本文の続き（未表示部分）をスクロール操作に応じて表示していく。そして、携帯端末装置１は、所定のスクロール操作が行なわれることによって、メール本文の末尾を表示する（４）。
【００２７】
携帯端末装置１は、メール本文画面２２上でメール本文の末尾を表示した後に、メール一覧画面２１を表示する際には、メール本文の末尾を表示したメールが既読のメールであること（既読状態を示す情報）をメール一覧画面２１に表示する（５）。
【００２８】
これにより、携帯端末装置１は、メール一覧画面２１に表示する各受信メールが既読（既読状態）のメールであるか未読（未読状態）のメールであるかをメール一覧画面２１上に正しく表示できる。また、携帯端末装置１への誤操作によって受信メールのメール本文を表示させてしまった場合であっても、メール本文の末尾が表示されていなければ、未読のメールとして扱うことが可能となる。
【００２９】
携帯端末装置１では、図２に示すように、１つの表示画面に、メール一覧画面２１とメール本文画面２２の両方を表示させてもよい。この場合、携帯端末装置１は、メール一覧画面２１で選択（指定）された受信メールの本文などをメール本文画面２２に表示する。
【００３０】
携帯端末装置１は、十字キーの上下キーなどが押下された場合に、メール一覧画面２１での受信メールの選択位置を上下キーの押下回数に応じて移動させる。携帯端末装置１は、この受信メールの選択位置に応じたメール本文をメール本文画面２２に表示する。
【００３１】
このとき、携帯端末装置１は、受信メールの選択位置に応じたメール本文を表示させる指示（確定ボタンの押下など）を使用者から受けることなく、受信メールの選択位置に応じたメール本文をメール本文画面２２に表示する。これにより、メール本文を表示させる受信メールを変更する際に、メール一覧画面２１をあらためて開く必要がないので、キー操作回数が少なくなる。したがって、所望のメール本文をメール本文画面２２に表示する際のキー操作回数が少なくなる。
【００３２】
携帯端末装置１は、メール本文画面２２にメール本文の末尾を表示すると、メール一覧画面２１で選択されている受信メールが既読のメールであることをメール一覧画面２１上に表示する。
【００３３】
これにより、表示画面にメール一覧画面２１とメール本文画面２２の両方を表示（以下、一覧と本文の両表示という）させる場合であっても、携帯端末装置１は、メール一覧画面２１に表示する各受信メールが既読のメールであるか未読のメールであるかを示す既読未読状態をメール一覧画面２１上に正しく表示できる。
【００３４】
また、受信メールの選択位置に応じたメール本文を表示させる指示を使用者から受けることなく、受信メールの選択位置に応じたメール本文をメール本文画面２２に表示する場合であっても、受信メールが実際に閲覧されたメールであるか受信メールの選択位置を通過しただけのメールであるかを判断することができる。
【００３５】
以下では、携帯端末装置１の一例として、携帯端末装置１が一覧と本文の両表示を行なう機能を有している場合について説明する。図３は、本発明の実施例に係る携帯端末装置の構成を示すブロック図である。
【００３６】
携帯端末装置１は、メール機能（電子メール装置）を有した例えば携帯電話機などの通信端末であり、一覧と本文の両表示を行ないながら受信メールが既読のメールであるか未読のメールであるかをメール一覧画面２１に表示する。
【００３７】
携帯端末装置１は、キー操作部１１、画面表示部（表示部）１２、通信制御部１３、メール処理部１４、一覧表示処理部１５、本文表示処理部１６、データベース１７、拡大縮小制御部１８、文字列レイアウト制御部１９Ａ、画像レイアウト制御部１９Ｂ、末尾表示検出部（末尾検出部）４１、既読・未読設定部（既読未読管理部）４２を有している。なお、ここでのメール処理部１４、一覧表示処理部１５、本文表示処理部１６が特許請求の範囲に記載の表示態様制御部に対応する。
【００３８】
キー操作部１１は、テンキー、十字キーなどの複数のキーを有して構成されており、使用者からの種々の指示を入力する。キー操作部１１は、使用者によって入力された指示（押下されたボタン）に対応するキーイベント（下スクロール処理など）をメール処理部１４へ送る。
【００３９】
画面表示部１２は、液晶ディスプレイ、ＥＬディスプレイ、ＬＥＤディスプレイなどを備えて構成される。画面表示部１２は、メール処理部１４、一覧表示処理部１５、本文表示処理部１６などの指示に基づいて、表示画面にメール本文画面２２やメール一覧画面２１などを表示する。
【００４０】
通信制御部１３は、メールの送受信を制御する。通信制御部１３は、他の通信端末から受信したメールをメール処理部１４に送るとともに、メール処理部１４から指示のあったメールを他の通信端末に送信する。
【００４１】
メール処理部１４は、キー操作部１１、画面表示部１２、通信制御部１３、一覧表示処理部１５、本文表示処理部１６、末尾表示検出部４１、既読・未読設定部４２から送られてくる種々の情報に基づいて、キー操作部１１、画面表示部１２、通信制御部１３、一覧表示処理部１５、本文表示処理部１６、末尾表示検出部４１、既読・未読設定部４２に種々の指示を送る。例えば、メール処理部１４は、一覧表示処理部１５にメール一覧画面２１の生成指示を送るとともに、本文表示処理部１６にメール本文画面２２の生成指示を送る。また、メール処理部１４は、メール一覧表示に割り付けられたキーイベントを受け取る度に、一覧表示処理部１５にキーイベントを通知し、メール本文表示に割り付けられたキーイベントを受け取る度に、本文表示処理部１６にキーイベントを通知する。
【００４２】
一覧表示処理部１５は、メール処理部１４からの指示に基づいて、表示画面にメール一覧画面２１を表示させる。一覧表示処理部１５は、キー操作部１１からメール処理部１４に送られるキーイベントのうち、メール一覧表示に割り付けられたキーイベントに対応する処理を実行する。本実施例の一覧表示処理部１５は、メール本文画面２２にメール本文の末尾が表示されると、このメールを未読のメールから既読のメールに変更してメール一覧画面２１に表示させる。
【００４３】
本文表示処理部１６は、メール処理部１４からの指示に基づいて、表示画面にメール本文画面２２を表示させる。本文表示処理部１６は、キー操作部１１からメール処理部１４に送られるキーイベントのうち、メール本文表示に割り付けられたキーイベントに対応する処理を実行する。本文表示処理部１６は、メール本文画面２２に表示されるメール本文の拡大表示、縮小表示、スクロール操作などを行なうことによって、メール本文の表示態様を変更させる。
【００４４】
拡大縮小制御部１８は、本文表示処理部１６からの指示に基づいて、メール本文画面２２に表示されるメール本文の拡大表示、縮小表示を制御する。文字列レイアウト制御部１９Ａは、拡大縮小制御部１８からの指示に基づいて、メール本文画面２２に表示させる文字列の折り返し位置を調整する。画像レイアウト制御部１９Ｂは、拡大縮小制御部１８からの指示に基づいて、メール本文画面２２に表示させる画像をリサイズする。
【００４５】
データベース１７は、受信メールのメールリストデータ、受信メールのメール本文、受信メールの確認ステータス（既読または未読）などを記憶するメモリなどの記憶手段である。
【００４６】
末尾表示検出部４１は、メール本文画面２２にメール本文の末尾が表示されたか否かを検出する。既読・未読設定部４２は、受信メールの既読未読状態を管理し、既読未読状態を示す情報をメール一覧画面２１に表示させる。既読・未読設定部４２は、末尾表示検出部４１からメール本文の末尾が表示されたことを示す通知が送られてくると、メール本文の末尾が表示された受信メールの確認ステータスをデータベース１７内で未読ステータスから既読ステータスに更新する。
【００４７】
つぎに、携帯端末装置１の動作手順について説明する。以下では、メール一覧とメール本文を同時に表示する際の携帯端末装置１の動作手順を、メール処理部１４の動作手順、一覧表示処理部１５の動作手順、本文表示処理部１６の動作手順の順番で説明する。その後、メール本文の末尾を検知してメールの確認ステータス（受信メールが既読のメールであるか未読のメールであるかを示す情報）を更新する際の携帯端末装置１の詳細な動作手順について説明する。
【００４８】
図４は、メール処理部の動作手順を示すフローチャートである。携帯端末装置１のメニューからメール機能が選択されると、携帯端末装置１はメール機能（メール処理部１４など）を起動させる。
【００４９】
携帯端末装置１のメール処理部１４は、メール画面の表示領域（画面サイズ）を、所定のメモリ（図示せず）などから取得する（ステップＳ１１０）。さらに、メール処理部１４は、メール画面の表示設定を所定のメモリなどから読込む（ステップＳ１２０）。
【００５０】
メール処理部１４は、読み込んだメール画面の表示設定が、メール一覧画面２１とメール本文画面２２を同時に表示させる設定（一覧と本文の両表示設定）であるか否かを判断する（ステップＳ１３０）。
【００５１】
一覧と本文の両表示設定である場合、メール処理部１４は、メール一覧画面２１とメール本文画面２２を同時に表示するため、メール一覧画面２１とメール本文画面２２のそれぞれの表示サイズとレイアウトを決定する（ステップＳ１４０）。メール一覧画面２１とメール本文画面２２の表示サイズやレイアウトは、予め設定しておいたデフォルトの表示サイズやレイアウトであってもよいし、使用者によってキー操作部１１から入力される指示に基づいて決定した表示サイズやレイアウトであってもよい。例えば、メール処理部１４は、図２に示したように、メール一覧画面２１を全表示画面の上半分に設定し、メール本文画面２２を表示画面の下半分に設定する。
【００５２】
そして、メール処理部１４は、一覧表示処理部１５にメール一覧画面２１の生成指示を行うとともに（ステップＳ１５０）、本文表示処理部１６にメール本文画面２２の生成指示を行う（ステップＳ１６０）。このとき、メール処理部１４は、メール一覧画面２１の表示サイズとレイアウトを一覧表示処理部１５に送り、メール本文画面２２の表示サイズとレイアウトを本文表示処理部１６に送る。
【００５３】
この後、メール処理部１４は、一覧表示処理部１５から送られてくる情報（選択状態にある受信メールを識別する情報）に基づいて、メール一覧画面２１上で選択されている受信メール（以下、選択メールという）は何れの受信メールであるかを判定する（ステップＳ１７０）。そして、メール処理部１４は、選択メールに対応するメール本文をメール本文画面２２に表示するよう、本文表示処理部１６に指示を送り（ステップＳ１８０）、メール本文画面２２にメール本文を表示させる。メール本文画面２２にメール本文が表示されると、メール処理部１４は、キーイベントが来るまでキー操作の入力待ち（受付待機状態）となる（ステップＳ１９０）。
【００５４】
ここでキーイベントの種類について説明する。図５は、キーイベント割付けテーブルの構成の一例を示す図である。図５のキーイベント割付けテーブル１０１は、キーとキーイベントの対応関係を示す情報テーブルである。本実施例では、メールの一覧表示（メール一覧表示）に割り付けるキーと、メールの本文表示（メール本文表示）に割り付けるキーと、をキー操作部１１のキーに対応付けておく。本実施例では、メール一覧表示に割り付けるキーと、メール本文表示に割り付けるキーと、は別々のキーである。
【００５５】
例えば、十字キー（選択ボタン）の「上」キーをメール一覧画面２１での上スクロール処理に対応付けておき、十字キーの「下」キーをメール一覧画面２１での下スクロール処理に対応付けておく。また、十字キーの「左」キーをメール一覧画面２１での前頁への切替え処理に対応付けておき、十字キーの「右」キーをメール一覧画面２１での次頁への切替え処理に対応付けておく。また、「確定」キーを、メール一覧画面２１での項目選択処理（確定指示）に対応付けておく。また、「右上」キーを、メール一覧画面２１での返信処理に対応付けておき、「左上」キーを、メール一覧画面２１でのサブメニュー表示処理に対応付けておく。
【００５６】
これにより、メール一覧画面２１を表示している際に、「上」キー、「下」キー、「左」キー、「右」キー、「確定」キー、「右上」キー、「左上」キーが押下されると、キー操作部１１からメール処理部１４へ、それぞれ上スクロール処理、下スクロール処理、前頁への切替え処理、次頁への切替え処理、項目選択処理、返信処理、サブメニュー表示処理のキーイベントが送られる。
【００５７】
また、例えば、テンキーの「１」キーをメール本文画面２２での表示縮小処理に対応付けておき、テンキーの「２」キーをメール本文画面２２での表示を標準値に戻す処理に対応付けておく。また、テンキーの「３」キーをメール本文画面２２での表示拡大処理に対応付けておき、テンキーの「４」キーなどをメール本文画面２２での無効なキー操作に対応付けておく。また、「＊」キーをメール本文画面２２での上スクロール処理に対応付けておき、「♯」キーをメール本文画面２２での下スクロール処理に対応付けておく。
【００５８】
これにより、メール本文画面２２を表示している際に、「１」キー、「２」キー、「３」キー、「＊」キー、「♯」キーが押下されると、キー操作部１１からメール処理部１４へ、それぞれ表示縮小処理、表示を標準値に戻す処理、表示拡大処理、上スクロール処理、下スクロール処理のキーイベントが送られる。
【００５９】
本実施例では、メール処理部１４が、キー操作部１１からのキーイベントが、メール一覧表示に割り付けられたキーイベントであるか、メール本文表示に割り付けられたキーイベントであるかをキーイベント割付けテーブル１０１を参照して判断する。
【００６０】
使用者によって、キー操作部１１へのキー操作が行われると、キー操作部１１はこのキー操作に応じたキーイベントをメール処理部１４に送る。メール処理部１４は、キーイベントがメール一覧表示に割り付けられたキーイベントであるか否かをキーイベント割付けテーブル１０１を参照して判断する（ステップＳ２００）。
【００６１】
キーイベントがメール一覧表示に割り付けられたキーイベントである場合（ステップＳ２００、Ｙｅｓ）、メール処理部１４は、一覧表示処理部１５にキーイベントを通知する（ステップＳ２１０）。メール処理部１４は、メール一覧表示に割り付けられたキーイベントを受け取る度に、一覧表示処理部１５にキーイベントを通知する処理を行なう（ステップＳ２００，Ｓ２１０）。
【００６２】
キーイベントがメール一覧表示に割り付けられたキーイベントでない場合（ステップＳ２００、Ｎｏ）、メール処理部１４は、キーイベントがメール本文表示に割り付けられたキーイベントであるか否かをキーイベント割付けテーブル１０１を参照して判断する（ステップＳ２２０）。
【００６３】
キーイベントがメール本文表示に割り付けられたキーイベントである場合（ステップＳ２２０、Ｙｅｓ）、メール処理部１４は、本文表示処理部１６にキーイベントを通知する（ステップＳ２３０）。メール処理部１４は、メール本文表示に割り付けられたキーイベントを受け取る度に、本文表示処理部１６にキーイベントを通知する処理を行なう（ステップＳ２２０，Ｓ２３０）。
【００６４】
この後、メール処理部１４は、メール本文画面２２にメール本文の末尾が表示されたか否かの判断（末尾表示検出部４１から末尾表示の検出通知を受けたか否かの判断）を行なう（ステップＳ２４０）。
【００６５】
メール本文画面２２にメール本文の末尾が表示されると（ステップＳ２４０、Ｙｅｓ）、メール処理部１４は、メールの確認ステータス（既読または未読）を既読に更新する。具体的には、既読・未読設定部４２に、メールのステータス設定を既読に更新させる（ステップＳ２５０）。
【００６６】
メール本文画面２２にメール本文の末尾が表示されていなければ（ステップＳ２４０、Ｎｏ）、メール処理部１４は、キーイベントが来るまでキー操作の入力待ちとなる（ステップＳ１９０）。
【００６７】
メール処理部１４は、メール一覧表示に割り付けられたキーイベントを受け取る度に、一覧表示処理部１５にキーイベントを通知し、メール本文表示に割り付けられたキーイベントを受け取る度に、本文表示処理部１６にキーイベントを通知する。そして、メール処理部１４は、メール本文画面２２にメール本文の末尾が表示されるとメールの確認ステータスを既読に更新し、メール本文画面２２にメール本文の末尾が表示されていなければ、キーイベントが来るまでキー操作の入力待ちとなる（ステップＳ１９０〜Ｓ２５０）。
【００６８】
メール処理部１４は、メール一覧表示にもメール本文表示にも割り付けられていないキーイベントを受け取ると、このキーイベントを無効なキーイベントとして破棄する（ステップＳ２６０）。そして、メール処理部１４は、次のキーイベントが来るまでキー操作の入力待ちとなる（ステップＳ１９０）。
【００６９】
なお、図４では、キーイベントがメール一覧表示に割り付けられたキーイベントであるか否かを判断した後、キーイベントがメール本文表示に割り付けられたキーイベントであるか否かを判断したが、キーイベントがメール本文表示に割り付けられたキーイベントであるか否かを判断した後に、キーイベントがメール一覧表示に割り付けられたキーイベントであるか否かを判断してもよい。
【００７０】
図６は、一覧表示処理部の動作手順を示すフローチャートである。携帯端末装置１のメニューからメール機能が選択されると、携帯端末装置１はメール機能（一覧表示処理部１５など）を起動させる。
【００７１】
一覧表示処理部１５は、メール処理部１４から送られてくるメール一覧画面２１の表示サイズとレイアウトを確認する（ステップＳ３１０）。一覧表示処理部１５は、この表示サイズとレイアウトを用いて、メール一覧画面２１の表示領域（受信メールのリストボックス）を生成する（ステップＳ３２０）。そして、一覧表示処理部１５は、データベース１７から受信メールのメールリストデータを読込み（ステップＳ３３０）、読み込んだメールリストデータを受信メールのリストボックスに格納する。一覧表示処理部１５は、メールリストデータ格納したリストボックスをメール一覧画面２１として画面表示部１２に表示させる（ステップＳ３３５）。
【００７２】
一覧表示処理部１５は、メール一覧画面２１を画面表示部１２に表示させると、メール一覧画面２１での選択メールを決定する（ステップＳ３４０）。このとき、使用者によってキー操作部１１から入力される指示（選択メールを指定する指示）がなければ、一覧表示処理部１５は、デフォルトの受信メール（例えば１行目の受信メール）を選択メールに決定する。
【００７３】
一覧表示処理部１５は、決定した選択メールをメール一覧画面２１上でフォーカス表示させるとともに（ステップＳ３５０）、決定した選択メールをメール処理部１４へ通知する（ステップＳ３６０）。そして、一覧表示処理部１５は、次のキーイベントが来るまでキー操作の入力待ちとなる（ステップＳ３７０）。
【００７４】
メール一覧表示に割り付けられたキーイベントのキー操作が行われると、メール処理部１４から一覧表示処理部１５へ、このキーイベントが送られてくる。これにより、一覧表示処理部１５は、メール処理部１４からのキーイベントに割り付けられた処理を実行（キーイベントとして規定された処理によって消費）する（ステップＳ３８０）。一覧表示処理部１５は、キーイベントに割り付けられた処理として、例えばメール一覧画面２１で上スクロール処理を行なう。
【００７５】
一覧表示処理部１５でキーイベントが処理された結果、選択メールが変更された場合、一覧表示処理部１５は、キーイベントに割り付けられた処理を実行した後の、新たな選択メールをメール一覧画面２１で決定する（ステップＳ３４０）。そして、一覧表示処理部１５は、決定した選択メールをメール一覧画面２１上でフォーカス表示させるとともに（ステップＳ３５０）、決定した選択メールをメール処理部１４へ通知する（ステップＳ３６０）。そして、一覧表示処理部１５は、次のキーイベントが来るまでキー操作の入力待ちとなる（ステップＳ３７０）。
【００７６】
一覧表示処理部１５では、メール一覧表示に割り付けられたキーイベントを受け取る度に、選択メールの決定やフォーカス表示を行なうとともに選択メールの通知を行なう処理を繰り返す（ステップＳ３８０、ステップＳ３４０〜Ｓ３７０）。
【００７７】
図７は、本文表示処理部の動作手順を示すフローチャートである。携帯端末装置１のメニューからメール機能が選択されると、携帯端末装置１はメール機能（本文表示処理部１６など）を起動させる。
【００７８】
本文表示処理部１６は、メール処理部１４から送られてくるメール本文画面２２の表示サイズとレイアウトを確認する（ステップＳ４１０）。本文表示処理部１６は、この表示サイズとレイアウトを用いてメール本文画面２２の表示領域を生成し（ステップＳ４２０）、自画面を生成する。そして、本文表示処理部１６は、データベース１７から選択メールのメール本文（メールデータ）を読込む（ステップＳ４３０）。データベース１７内のメールデータは、例えば文字データと画像データ（メールに添付される画像のデータ）とからなる。
【００７９】
本文表示処理部１６は、メール本文画面２２に文字データ（文字列）を表示する際の文字サイズを決定する（ステップＳ４４０）。メール本文画面２２に表示する文字列の文字サイズは、予め設定しておいたデフォルトの文字サイズであってもよいし、使用者によってキー操作部１１から入力される指示に基づいて決定した文字サイズであってもよい。また、文字列の文字サイズは、文字列の文字数、画像数、画像サイズなどに基づいて決定してもよい。例えば、文字列の文字数や画像数が少ない場合、画像サイズが小さい場合には、文字列の文字サイズを大きくする。また、文字列の文字数や画像数が多い場合、画像サイズが大きい場合には、文字列の文字サイズを小さくする。
【００８０】
本文表示処理部１６は、決定した文字サイズの文字フォントを、文字列内の各文字に対して生成する。本文表示処理部１６は、文字サイズ毎の文字フォントを記憶しているメモリなどから文字フォントを抽出することによって文字列の文字フォントを生成する（ステップＳ４５０）。
【００８１】
この後、本文表示処理部１６は、メール本文として表示する文字列のレイアウトを調整する（ステップＳ４６０）。具体的には、本文表示処理部１６は、文字列レイアウト制御部１９Ａに文字の折り返し位置（改行位置）を調整させて、自画面内に文字列を表示していく。
【００８２】
メール本文内に画像が含まれている場合、本文表示処理部１６は、画像の表示サイズを決定し（ステップＳ４７０）、画像レイアウト制御部１９Ｂに画像データ（画像）をリサイズさせる（ステップＳ４８０）。そして、リサイズされた画像を自画面内に表示する。メール本文画面２２に表示する画像の画像サイズは、予め設定しておいたデフォルトの画像サイズであってもよいし、使用者によってキー操作部１１から入力される指示に基づいて決定した画像サイズであってもよい。また、メール本文画面２２に表示する画像の画像サイズは、メール本文の文字サイズ（拡大率や縮小率）、文字数、画像数に基づいて決定してもよいし、メール本文画面２２の横方向の表示領域に基づいて決定してもよい。例えば、メール本文の文字サイズが大きい場合には、画像サイズも大きくする。また、メール本文画面２２の横方向の画面内に画像の横方向がおさまるよう画像サイズを決定してもよい。
【００８３】
本文表示処理部１６は、文字フォントを生成した文字列と、リサイズ画像と、を自画面内に表示することによってメール本文をメール本文画面２２に表示する（ステップＳ４９０）。本文表示処理部１６は、メール本文画面２２を画面表示部１２に表示させると、キーイベントが来るまでキー操作の入力待ちとなる（ステップＳ５００）。
【００８４】
メール本文表示に割り付けられたキーイベントのキー操作が行われると、メール処理部１４から本文表示処理部１６へ、このキーイベントが送られてくる。これにより、本文表示処理部１６は、メール処理部１４からのキーイベントに割り付けられた処理を実行する（ステップＳ５１０）。本文表示処理部１６は、キーイベントに割り付けられた処理として、例えばメール本文画面２２で上スクロール処理や文字列の拡大・縮小処理などを行なう。
【００８５】
本文表示処理部１６でキーイベントが処理された結果、文字列の文字サイズや画像の画像サイズが変更された場合、本文表示処理部１６は、キーイベントに割り付けられた処理を実行した後の、メール本文画面２２内での文字サイズを決定する（ステップＳ４４０）。そして、本文表示処理部１６は、新たに決定した文字サイズの文字フォントを、文字列内の各文字に対して生成するとともに（ステップＳ４５０）、メール本文として表示する文字列のレイアウトを調整する（ステップＳ４６０）。
【００８６】
さらに、本文表示処理部１６は、画像の表示サイズを決定し（ステップＳ４７０）、画像レイアウト制御部１９Ｂに画像をリサイズさせる（ステップＳ４８０）。そして、本文表示処理部１６は、文字フォントを生成した文字列と、リサイズ画像と、を自画面内に表示することによってメール本文をメール本文画面２２に表示する（ステップＳ４９０）。本文表示処理部１６は、メール本文画面２２を画面表示部１２に表示させると、次のキーイベントが来るまでキー操作の入力待ちとなる（ステップＳ５００）。
【００８７】
本文表示処理部１６では、メール本文表示に割り付けられたキーイベントを受け取る度に、文字サイズや画像サイズのリサイズを行なう処理を繰り返す（ステップＳ５１０、ステップＳ４４０〜Ｓ５００）。
【００８８】
本実施例では、メール本文画面２２にメール本文を表示している間、末尾表示検出部４１が、メール本文画面２２にメール本文の末尾が表示されたか否かを確認（検出）している。そして、末尾表示検出部４１がメール本文画面２２にメール本文の末尾が表示されたことを検知すると、一覧表示処理部１５は、メール本文の末尾が表示された受信メールは既読のメールであることをメール一覧画面２１上に表示する。
【００８９】
以下、メール本文の末尾を検知してメールの確認ステータスを更新する際の携帯端末装置１の動作手順を詳細に説明する。ここでは、メール本文がスクロール操作された場合の携帯端末装置１の動作手順と、メール本文が拡大・縮小操作された場合の、携帯端末装置１の動作手順とについて説明する。
【００９０】
図８は、メール本文がスクロール操作された場合の携帯端末装置の動作手順を示すフローチャートである。なお、図８では、図４、図６、図７で説明した動作と同様の動作を行なう処理については、その説明を省略する。
【００９１】
メール処理部１４は、キー操作部１１からキーイベントを受信すると、所定のメモリなどに格納されているキーイベント割付けテーブル１０１を読み出す（ステップＳ６１０）。そして、メール処理部１４は、キー操作部１１からのキーイベントが、メール本文表示に割り付けられたキーイベントであるか否かをキーイベント割付けテーブル１０１を参照して判断する（ステップＳ６２０）。
【００９２】
キーイベントがメール本文表示に割り付けられたキーイベントでなければ（ステップＳ６２０、Ｎｏ）、メール処理部１４は、このキーイベントに対応する処理を行なう。キーイベントがメール本文表示に割り付けられたキーイベントである場合（ステップＳ６２０、Ｙｅｓ）、メール処理部１４は、本文表示処理部１６にキーイベントを通知する（ステップＳ６３０）。このメール処理部１４によるステップＳ６２０の処理およびステップＳ６３０の処理は、図４に示したステップＳ２２０の処理およびステップＳ２３０の処理と同様の処理である。
【００９３】
本文表示処理部１６では、メール処理部１４からの指示に基づいて、メール本文をメール本文画面２２に表示する（ステップＳ７１０）。本文表示処理部１６は、メール本文画面２２を画面表示部１２に表示させると、キーイベントの入力待ちとなる（ステップＳ７２０）。この本文表示処理部１６によるステップＳ７１０の処理およびステップＳ７２０の処理は、図７に示したステップＳ４９０の処理およびステップＳ５００の処理と同様の処理である。
【００９４】
メール処理部１４から本文表示処理部１６にメール本文表示に割り付けられたキーイベントが送られてくると、本文表示処理部１６は、このキーイベントが何れの処理に割り付けられたキーイベントであるかの判定を行なう（ステップＳ７３０）。
【００９５】
メール処理部１４からのキーイベントが上下スクロールに割り付けられたキーイベントである場合（ステップＳ７３０、Ｙｅｓ）、本文表示処理部１６は表示中のメール本文をスクロールする。具体的には、本文表示処理部１６は、まず現在表示中のメール本文の表示位置を精査（チェック）する（ステップＳ７４０）。
【００９６】
そして、キーイベントが上スクロールのキーイベントである場合、表示の先頭部分がメール本文の先頭でなければ、本文表示処理部１６は、上スクロールが可能であると判断し、メール本文の表示位置（表示位置情報）を１行分だけ上に移動させてメール本文画面２２を再表示（更新）する。
【００９７】
また、キーイベントが下スクロールのキーイベントである場合、表示の末尾部分がメール本文の末尾でなければ、本文表示処理部１６は、下スクロールが可能であると判断し、メール本文の表示位置（表示位置情報）を１行分だけ下に移動させてメール本文画面２２を再表示（更新）する（ステップＳ７５０，Ｓ７６０）。これらのメール一覧上での上下スクロール処理により、リアルタイムにメール本文の内容が更新される。
【００９８】
図９は、メール本文のスクロール操作によってメール本文の末尾が表示される処理を説明するための図である。同図に示すように、メール一覧画面２１とメール本文画面２２を同時に画面表示している際に、メール本文表示に割り付けられたキーイベントとして下スクロールのキーイベントが発生すると、メール本文画面２２でのメール本文の表示位置を下側（メール本文の末尾側）に移動させる。そして、下スクロールのキーイベントが所定回数だけ発生すると、メール本文の末尾が表示される。
【００９９】
メール本文画面２２にメール本文を表示している間、末尾表示検出部４１は、メール本文画面２２にメール本文の末尾が表示されたか否かを確認している（ステップＳ７７０）。表示中の選択メールが未読ステータスの場合に、下スクロールされたことによってメール本文中の文字列の末尾が表示の末尾になると（ステップＳ７７０、Ｙｅｓ）、末尾表示検出部４１は、メールを最後まで閲覧したと判断する。そして、末尾表示検出部４１は、既読・未読設定部４２にメール本文の末尾が表示されたことを通知する（ステップＳ７８０）。
【０１００】
メール本文中の文字列の末尾が表示の末尾となっていなければ（ステップＳ７７０、Ｎｏ）、末尾表示検出部４１は、メールを最後まで閲覧していないと判断する。そして、本文表示処理部１６は、次のキーイベントの入力待ちとなる（ステップＳ７２０）。
【０１０１】
この後、メール処理部１４から本文表示処理部１６にメール本文表示に割り付けられたキーイベントが送られてくると、本文表示処理部１６は、このキーイベントが何れの処理に割り付けられたキーイベントであるかの判定を行なう（ステップＳ７３０）。
【０１０２】
メール処理部１４からのキーイベントが上下スクロールに割り付けられたキーイベントでなければ（ステップＳ７３０、Ｎｏ）、本文表示処理部１６はこのキーイベントに対応する処理を行なう。本文表示処理部１６は、メール本文表示に割り付けられたキーイベントを受け取る度に、ステップＳ７３０〜Ｓ７７０，Ｓ７２０の処理を行なう。
【０１０３】
末尾表示検出部４１から既読・未読設定部４２へメール本文の末尾が表示されたことを示す通知が送られてくると、既読・未読設定部４２は、メール本文の末尾が表示された受信メールの確認ステータスをデータベース１７内で未読ステータスから既読ステータスに更新する。そして、既読・未読設定部４２は、確認ステータスの更新通知（未読から既読への更新）をメール処理部１４に通知する。
【０１０４】
メール処理部１４では、確認ステータスの更新通知を受け取ると、一覧表示処理部１５にメール一覧画面２１の更新要求を行なう（ステップＳ６４０）。一覧表示処理部１５は、データベース１７から、表示中のメールリストデータを読み込む。そして、一覧表示処理部１５は、表示中のメール一覧画面２１を更新する。これにより、メール一覧画面２１では、メール本文の末尾が表示された受信メールは既読のメールであることを表示する。メール一覧画面２１上では、例えば受信メールの受信日や題名の横に、受信メールが既読であることを示すマークなどを表示する。
【０１０５】
図１０は、メール本文が拡大・縮小操作された場合の携帯端末装置の動作手順を示すフローチャートである。なお、図１０では、図４、図６、図７、図８で説明した動作と同様の動作を行なう処理については、その説明を省略する。
【０１０６】
メール処理部１４は、キー操作部１１からキーイベントを受信すると、キーイベント割付けテーブル１０１に基づいて、キーイベントが、メール本文表示に割り付けられたキーイベントであるか否かを判断する（ステップＳ６１０，Ｓ６２０）。そして、キーイベントがメール本文表示に割り付けられたキーイベントである場合（ステップＳ６２０、Ｙｅｓ）、メール処理部１４は、本文表示処理部１６にキーイベントを通知する（ステップＳ６３０）。
【０１０７】
本文表示処理部で１６は、メール処理部１４からの指示に基づいて、メール本文をメール本文画面２２に表示させ（ステップＳ８１０）、キーイベントの入力待ちとなる（ステップＳ８２０）。
【０１０８】
メール処理部１４から本文表示処理部１６にメール本文表示に割り付けられたキーイベントが送られてくると、本文表示処理部１６は、このキーイベントが何れの処理に割り付けられたキーイベントであるかの判定を行なう（ステップＳ８３０）。
【０１０９】
メール処理部１４からのキーイベントが拡大処理や縮小処理に割り付けられたキーイベントである場合（ステップＳ８３０、Ｙｅｓ）、本文表示処理部１６は表示中のメール本文を拡大表示または縮小表示させる。このとき、本文表示処理部１６は、図１１に示す拡大縮小階調テーブル１０２を用いて、文字列などの再レイアウトを行なう（ステップＳ８４０）。具体的には、本文表示処理部１６は、まず現在表示中のメール本文の拡大・縮小に関する階調（表示倍率）に対して１段階だけ階調を減少あるいは増加させる。そして、本文表示処理部１６は、次に表示する文字サイズ用のフォント生成を行うとともに、生成したフオントサイズによって１行あたりに表示可能な文字数を算出する。
【０１１０】
図１１は、拡大縮小階調テーブルの構成の一例を示す図である。図１１の拡大縮小階調テーブル１０２は、階調と、フォントサイズと、倍率とが対応付けられた情報テーブルである。
【０１１１】
例えば、階調が「１」、「２」、「３」のメール本文（文字列）は、それぞれフォントサイズが１６ｄｏｔ、２４ｄｏｔ、３２ｄｏｔであり、倍率（表示倍率）が４０％、６０％、８０％である。
【０１１２】
また、階調が「４」、「５」、「６」、「７」のメール本文は、それぞれフォントサイズが４０ｄｏｔ、４８ｄｏｔ、５６ｄｏｔ、６４ｄｏｔであり、倍率（表示倍率）が１００％、１２０％、１４０％、１６０％である。
【０１１３】
つぎに、本文表示処理部１６は、現在表示中のメール本文の文字列に対し、１行あたりに表示可能な文字数の設定を更新し、文字列レイアウト制御部１９Ａに文字の折り返し位置を自動調整させる。また、本文表示処理部１６は、画像レイアウト制御部１９Ｂに画像をリサイズさせる。画像レイアウト制御部１９Ｂは、新たな階調の拡大縮小倍率（文字列の大きさ）に基づいて、画像のサイズをリサイズする（ステップＳ８５０）。そして、画像レイアウト制御部１９Ｂは、メール本文全体の表示レイアウトを再設定しメール本文画面２２の画面更新を行う。これらのメール一覧上での拡大・縮小処理により、リアルタイムにメール本文の内容が更新される。
【０１１４】
図１２は、メール本文の拡大・縮小処理を説明するための図である。同図に示すように、メール本文表示に割り付けられたキーイベントとして縮小処理のキーイベントが発生すると、メール本文が縮小表示される。この状態でさらに縮小処理のキーイベントが発生すると、メール本文がさらに縮小表示される。本実施例では、所定回数の縮小処理によって、メール本文の末尾が表示される場合がある。
【０１１５】
また、メール本文表示に割り付けられたキーイベントとして拡大処理のキーイベントが発生すると、メール本文が拡大表示される。この状態でさらに拡大処理のキーイベントが発生すると、メール本文がさらに拡大表示される。
【０１１６】
メール本文画面２２にメール本文を表示している間、末尾表示検出部４１が、メール本文画面２２にメール本文の末尾が表示されたか否かを確認している（ステップＳ８６０）。表示中の選択メールが未読ステータスの場合に、メール本文が縮小処理されたことによってメール本文中の文字列の末尾が表示されると（ステップＳ８６０、Ｙｅｓ）、末尾表示検出部４１は、メールを最後まで閲覧したと判断する。そして、末尾表示検出部４１は、既読・未読設定部４２にメール本文の末尾が表示されたことを通知する（ステップＳ８７０）。
【０１１７】
メール本文中の文字列の末尾が表示の末尾となっていなければ（ステップＳ８７０、Ｎｏ）、末尾表示検出部４１は、メールを最後まで閲覧していないと判断する。そして、本文表示処理部１６は、次のキーイベントの入力待ちとなる（ステップＳ８２０）。
【０１１８】
この後、メール処理部１４から本文表示処理部１６にメール本文表示に割り付けられたキーイベントが送られてくると、本文表示処理部１６は、このキーイベントが何れの処理に割り付けられたキーイベントであるかの判定を行なう（ステップＳ８３０）。
【０１１９】
メール処理部１４からのキーイベントが拡大・縮小処理に割り付けられたキーイベントでなければ（ステップＳ８３０、Ｎｏ）、本文表示処理部１６はこのキーイベントに対応する処理を行なう。本文表示処理部１６は、メール本文表示に割り付けられたキーイベントを受け取る度に、ステップＳ８３０〜Ｓ８６０，Ｓ８２０の処理を行なう。
【０１２０】
末尾表示検出部４１から既読・未読設定部４２へメール本文の末尾が表示されたことを示す通知が送られてくると、既読・未読設定部４２では、メール本文の末尾が表示された受信メールの確認ステータスをデータベース１７内で未読ステータスから既読ステータスに更新する。そして、既読・未読設定部４２は、確認ステータスの更新通知をメール処理部１４に通知する。
【０１２１】
メール処理部１４は、確認ステータスの更新通知を受け取ると、一覧表示処理部１５にメール一覧画面２１の更新要求を行なう（ステップＳ６４０）。一覧表示処理部１５は、データベース１７から、表示中のメールリストデータを読み込む。そして、一覧表示処理部１５は、表示中のメール一覧画面２１を更新する。これにより、メール一覧画面２１では、メール本文の末尾が表示された受信メールは既読のメールであることを表示する。
【０１２２】
なお、本実施例では、メール一覧画面２１を表示画面の上半分に表示し、メール本文画面２２を表示画面の下半分に表示した場合について説明したが、メール一覧画面２１とメール本文画面２２の表示領域の大きさ（比率）は何れの大きさであってもよい。
【０１２３】
また、メール一覧画面２１とメール本文画面２２の表示領域の大きさをメール一覧画面２１やメール本文画面２２の表示状態に応じて変化させてもよい。図１３は、メール一覧画面とメール本文画面の表示領域の大きさを説明するための図である。
【０１２４】
例えば、メール本文画面２２でメール本文を縮小表示する際には、メール本文画面２２の表示領域を、通常時（Ｂ）の場合の表示領域よりも狭くする。そして、メール一覧画面２１の表示領域を、通常時（Ｂ）の場合の表示領域よりも広くする（Ａ）。
【０１２５】
また、メール本文画面２２でメール本文を拡大表示する際には、メール本文画面２２の表示領域を、通常時（Ｂ）の場合の表示領域よりも広くする。そして、メール一覧画面２１の表示領域を、通常時（Ｂ）の場合の表示領域より狭くする（Ｃ）。
【０１２６】
このとき、メール本文の拡大率や縮小率に応じて、メール本文画面２２の表示領域の大きさやメール一覧画面２１の表示領域の大きさを決定してもよい。具体的には、メール本文の拡大率が上昇するにしたがって、メール本文画面２２の表示領域を大きくし、メール本文の縮小率が上昇するにしたがって、メール本文画面２２の表示領域を小さくする。
【０１２７】
これにより、メール本文の縮小表示によって使われなくなった表示領域をメール一覧画面２１の表示領域に用いることが可能となり、表示領域を有効に利用することが可能となる。また、メール本文の拡大表示によって表示されなくなるメール本文を、通常時よりも広くなったメール本文画面２２上に表示することが可能となり、表示領域を有効に利用することが可能となる。
【０１２８】
また、表示態様を変更した後のメール本文全体のサイズ（メール本文画面２２上でのサイズ）に応じてメール本文画面２２の表示領域の大きさやメール一覧画面２１の表示領域の大きさを決定してもよい。具体的には、メール本文の文字数や画像数が多い場合や、メール本文の文字サイズや画像サイズが大きい場合に、メール本文画面２２の表示領域を大きくし、メール本文の文字数や画像数が少ない場合や、メール本文の文字サイズや画像サイズが小さい場合に、メール本文画面２２の表示領域を小さくする。これにより、メール本文の全体サイズが大きい場合には、メール本文を見やすく表示でき、メール本文の全体サイズが小さい場合には、メール一覧を見やすく表示できる。
【０１２９】
なお、メール本文画面２２でメール本文を縮小表示する際に、メール本文画面２２の表示領域を、通常時の場合の表示領域よりも広くしてもよい。この場合、メール一覧画面２１の表示領域を、通常時の場合の表示領域よりも狭くする。
【０１３０】
また、メール本文画面２２でメール本文を拡大表示する際に、メール一覧画面２１の表示領域を、通常時の場合の表示領域より広くしてもよい。この場合、メール本文画面２２の表示領域を、通常時の場合の表示領域よりも狭くする。
【０１３１】
このときも、メール本文の拡大率や縮小率に応じて、メール本文画面２２の表示領域の大きさやメール一覧画面２１の表示領域の大きさを決定してもよい。具体的には、メール本文の拡大率が上昇するにしたがって、メール本文画面２２の表示領域を小さくし、メール本文の縮小率が上昇するにしたがって、メール本文画面２２の表示領域を大きくする。
【０１３２】
これにより、メール本文の縮小表示を行なう際には、多くの文字数や画像をメール本文として表示することが可能となる。また、メール本文の拡大表示を行なう際には、多くのメール一覧を表示することが可能となる。したがって、表示領域を有効に利用することが可能となる。
【０１３３】
また、メール一覧画面２１での文字サイズや画像サイズ（拡大率や縮小率）といった表示態様を、メール本文画面２２での文字サイズや画像サイズに応じて変化させてもよい。例えば、メール一覧画面２１での文字サイズや画像サイズを、メール本文画面２２での文字サイズや画像サイズと同じサイズで表示させてもよい。これにより、使用者からのメール本文画面２２へ送られる指示を、メール一覧画面２１へ容易に反映することが可能となる。使用者は、メール本文画面２２とメール一覧画面２１とで表示される文字や画像のサイズを少ない操作回数で変更することが可能となる。
【０１３４】
なお、本実施例では、メール本文の末尾を表示された場合に、末尾表示検出部４１が、受信メールは最後まで閲覧されたと判断する場合について説明したが、末尾表示検出部４１は、所定の時間だけメール本文の末尾を表示された場合に、受信メールは最後まで閲覧されたと判断してもよい。
【０１３５】
これにより、携帯端末装置１への誤操作によって受信メールのメール本文を表示させてしまった場合であっても、その表示時間が短時間であれば、未読のメールとして扱うことが可能となる。
【０１３６】
また、本実施例では、メール一覧画面２１やメール本文画面２２を縦画面表示する場合について説明したが、メール一覧画面２１やメール本文画面２２を横画面表示させてもよい。
【０１３７】
また、本実施例では、メール本文画面２２やメール一覧画面２１を上スクロール処理や下スクロール処理する場合について説明したが、メール本文画面２２やメール一覧画面２１を右スクロール処理や左スクロール処理させてもよい。この場合も、表示中の選択メールが未読ステータスの場合に、右スクロールされたことによってメール本文中の文字列の末尾が表示されると、末尾の表示された受信メールを既読のメールとして表示する。
【０１３８】
また、本実施例では、メール一覧画面２１でメール一覧を表示する際に、各受信メールを１行で表示する場合について説明したが、各受信メールを２行以上用いて表示してもよい。
【０１３９】
また、各受信メールを２行以上用いて表示する場合に、メール一覧画面２１の表示領域を、通常時の場合の表示領域よりも広くしてもよい。この場合、メール本文画面２２の表示領域を、通常時の場合の表示領域よりも狭くする。
【０１４０】
このとき、メール一覧の行数に応じて、メール一覧画面２１の表示領域の大きさやメール本文画面２２の表示領域の大きさを決定してもよい。具体的には、メール一覧の行数が増えるにしたがって、メール一覧画面２１の表示領域を大きくする。これにより、メール一覧の行数が多い場合には、メール一覧を見やすく表示でき、メール一覧の行数が少ない場合には、メール本文を見やすく表示できる。
【０１４１】
また、本実施例では、メール一覧画面２１でメール一覧を表示する際に、各受信メールの題名を表示させる場合について説明したが、図１４に示すように各受信メールの送信元（宛先など）や送信者（氏名など）を表示させてもよい。また、これらの各受信メールの表示を切替可能なように構成してもよい。
【０１４２】
また、本実施例では、表示画面上で、メール一覧画面２１を上側に配置し、メール本文画面２２を下側に配置した場合について説明したが、メール一覧画面２１やメール本文画面２２は何れの位置に配置してもよい。
【０１４３】
また、本実施例では、メール本文表示とメール一覧表示とに別々のキーを割り付けたが、メール本文表示とメール一覧表示とに同じキーを割り付けてもよい。この場合は、メール本文表示かメール一覧表示かを指定する操作を行なわせてから、メール本文表示やメール一覧表示に関する操作を行わせる。
【０１４４】
また、本実施例では、携帯端末装置１が携帯電話機である場合について説明したが、携帯端末装置１は、メール機能を有した何れの機器にも適用できる。携帯端末装置１は、例えばＰＨＳ（Personal  Handyphone  System）、ＰＤＡ（Personal  Digital  Assistant）、カーナビゲーション装置、ゲーム機などであってもよい。
【０１４５】
また、本実施例では、十字キーなどによってメール一覧から選択メールを指定させる場合について説明したが、マウスによってメール一覧から選択メールを指定させてもよい。マウスによってメール一覧から選択メールを指定させる場合であっても、メール本文の末尾を表示したか否かに基づいて、受信メールの確認ステータスを未読から既読に変更する。これにより、携帯端末装置１への誤操作によって受信メールのメール本文を表示させてしまった場合であっても、メール本文の末尾が表示されていなければ、未読のメールとして扱うことが可能となる。
【０１４６】
このように実施例によれば、メール本文の末尾を表示したか否かに基づいて、受信メールの確認ステータスを未読から既読に変更するので、実際に閲覧されたメールであるか受信メールの選択位置を通過しただけのメールであるかを正しく判断して、既読の表示または未読の表示を正しく表示することが可能となる。
【０１４７】
また、メール一覧画面２１とメール本文画面２２とを同時に表示させるとともに、メール一覧表示に関する処理に割り付けるキーとは別のキーに、メール本文表示に関する処理（上スクロール処理、下スクロール処理、拡大処理、縮小処理など）を割り付けている。このため、メール一覧に表示される受信メールのメール本文を表示させる際、受信メールを選択するためのキー操作だけでよく、受信メールを選択した後の操作確定のキー操作（選択確定ボタンの押下）を行なう必要がない。したがって、一覧と本文の両表示を行ないつつ、少ない操作回数でメール本文の全てを表示させることが可能となる。
【０１４８】
ところで、本実施例において説明した各処理のうち、自動的に行われるものとして説明した処理の全部または一部を手動的に行うこともでき、あるいは、手動的に行われるものとして説明した処理の全部あるいは一部を公知の方法で自動的に行うこともできる。この他、上記文書中や図面中で示した処理手順、制御手順、具体的名称、各種のデータやパラメータを含む情報については、特記する場合を除いて任意に変更することができる。
【０１４９】
また、図３に示した携帯端末装置１の各構成要素は機能概念的なものであり、必ずしも物理的に図示の如く構成されていることを要しない。すなわち、各構成要素の分散・統合の具体的形態は図示のものに限られず、その全部または一部を、各種の負荷や使用状況などに応じて、任意の単位で機能的または物理的に分散・統合して構成することができる。さらに、各構成要素にて行われる各処理機能は、その全部または任意の一部がＣＰＵおよび当該ＣＰＵにて解析実行されるプログラムにて実現され、あるいは、ワイヤードロジックによるハードウェアとして実現され得る。したがって、上記の実施例で説明した各種の処理は、あらかじめ用意されたプログラムをコンピュータで実行することによって実現することができる。そこで、以下では、図１５を用いて上記の実施例１と同様の機能を有するメール表示プログラムを実行するコンピュータの一例を説明する。図１５は、メール表示プログラムを実行するコンピュータを示す図である。
【０１５０】
同図に示すように、電子メール装置としてのとしてのコンピュータ３０は、操作パネル３１、ディスプレイ３２、ＨＤＤ３５、ＲＡＭ３６、ＲＯＭ３７およびＣＰＵ３８をバス３９で接続して構成される。ここで、操作パネル３１は、図３に示したキー操作部１１に対応し、ディスプレイ３２は画面表示部１２に対応する。
【０１５１】
そして、ＲＯＭ３７には、上記の実施例と同様の機能を発揮するメール表示プログラム、つまり、図１５に示すように、一覧表示プログラム３７ａ、本文表示プログラム３７ｂ、拡大縮小処理プログラム３７ｃ、スクロール処理プログラム３７ｄ、末尾表示検出プログラム３７ｅ、確認ステータス設定プログラム３７ｆ、メール処理プログラム３７ｇが予め記憶されている。なお、プログラム３７ａ〜３７ｇについては、図３に示した携帯端末装置１の各構成要素と同様、適宜統合または分散してもよい。
【０１５２】
そして、ＣＰＵ３８が、これらのプログラム３７ａ〜３７ｇをＲＯＭ３７から読み出して実行することで、図１５に示すように、各プログラム３７ａ〜３７ｇは、一覧表示プロセス３８ａ、本文表示プロセス３８ｂ、拡大縮小処理プロセス３８ｃ、スクロール処理プロセス３８ｄ、末尾表示検出プロセス３８ｅ、確認ステータス設定プロセス３８ｆおよびメール処理プロセス３８ｇとして機能するようになる。各プロセス３８ａ〜３８ｇは、図３に示した一覧表示処理部１５、本文表示処理部１６、拡大縮小制御部１８、一覧表示処理部１５および本文表示処理部１６のスクロール処理機能、末尾表示検出部４１、既読・未読設定部４２、メール処理部１４にそれぞれ対応する。
【０１５３】
また、ＨＤＤ３５には、図１５に示すように、キーイベント割付けテーブル１０１と拡大縮小階調テーブル１０２とが設けられる。そして、ＣＰＵ３８は、ＨＤＤ３５からキーイベント割付けテーブル１０１や拡大縮小階調テーブル１０２を読み出してＲＡＭ３６に格納し、ＲＡＭ３６に格納されたキーイベント割付けデータ３６ａや拡大縮小階調データ３６ｂに基づいてキーイベントの判別や拡大・縮小処理等を実行する。
【０１５４】
ところで、上記した各プログラム３７ａ〜３７ｇについては、必ずしも最初からＲＯＭ３７に記憶させておく必要はなく、例えば、コンピュータ３０に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」、または、コンピュータ３０の内外に備えられるハードディスクドライブ（ＨＤＤ）などの「固定用の物理媒体」、さらには、公衆回線、インターネット、ＬＡＮ、ＷＡＮなどを介してコンピュータ３０に接続される「他のコンピュータ（またはサーバ）」などに各プログラムを記憶させておき、コンピュータ３０がこれらから各プログラムを読み出して実行するようにしてもよい。
【０１５５】
（付記１）電子メールを送受信するとともに、受信メールに関する情報を表示する携帯端末装置において、
前記受信メールの本文を表示画面に表示する表示部と、
前記本文の末尾が前記表示画面に表示されたか否かを検出する末尾検出部と、
前記受信メールが既読状態のメールであるか未読状態のメールであるかの既読未読状態を管理するとともに、前記本文の末尾が前記表示画面に表示されたことを前記末尾検出部が検出した場合に、前記本文の末尾が検出された受信メールの既読未読状態を既読状態として管理する既読未読管理部と、
を備えることを特徴とする携帯端末装置。
【０１５６】
（付記２）前記表示部は、前記受信メールの一覧を前記表示画面に表示するとともに、
前記既読未読管理部は、前記表示部が前記受信メールの一覧を前記表示画面に表示する際に、前記既読未読状態を示す情報を前記各受信メールに対応付けて前記表示画面に表示させることを特徴とする付記１に記載の携帯端末装置。
【０１５７】
（付記３）前記末尾検出部は、前記本文の末尾が前記表示画面に所定時間表示された場合に、前記本文の末尾が前記表示画面に表示されたことを検出することを特徴とする付記１または２に記載の携帯端末装置。
【０１５８】
（付記４）電子メールを送受信するとともに、受信メールに関する情報を表示する携帯端末装置において、
前記受信メールの一覧および当該一覧内で選択されている前記受信メールの本文を、それぞれ一覧表示画面および本文表示画面として同時に表示する表示部と、
キー入力される、前記受信メールの表示に関する指示を受け付けるキー操作部と、
前記表示部が前記本文表示画面および前記一覧表示画面を同時に表示している状態で前記キー操作部から前記本文の表示態様を変更させる指示がキー入力されると、前記キー操作部にキー入力された指示に従って前記本文の表示態様を変更するよう前記表示部を制御する表示態様制御部と、
を備えることを特徴とする携帯端末装置。
【０１５９】
（付記５）前記本文の表示態様を変更させる指示と、前記本文を表示させる受信メールを前記一覧内で指定する指示とは、それぞれ前記キー操作部の異なるキーに対応付けられていることを特徴とする付記４に記載の携帯端末装置。
【０１６０】
（付記６）前記表示態様制御部は、前記本文の表示態様に応じた表示態様で前記一覧の表示態様を変更するよう前記表示部を制御することを特徴とする付記４または５に記載の携帯端末装置。
【０１６１】
（付記７）前記表示態様制御部は、前記キー操作部にキー入力される前記本文の表示態様を変更させる指示に基づいて前記本文表示画面および前記一覧表示画面の表示エリアを決定し、決定した表示エリアで前記表示部に前記本文表示画面および前記一覧表示画面の表示エリアを表示させることを特徴とする付記４〜６のいずれか１つに記載の携帯端末装置。
【０１６２】
（付記８）前記表示態様制御部は、前記本文の表示態様を変更した後の前記本文全体の表示画面上での表示サイズに基づいて、前記本文表示画面および前記一覧表示画面の表示エリアを決定することを特徴とする付記４〜６のいずれか１つに記載の携帯端末装置。
【０１６３】
（付記９）前記本文の表示態様を変更させる指示は、前記本文を拡大表示させる指示、前記本文を縮小表示させる指示および前記本文をスクロール操作させる指示の少なくとも１つであることを特徴とする付記４〜８のいずれか１つに記載の携帯端末装置。
【０１６４】
（付記１０）電子メールを送受信するとともに、受信メールに関する情報を表示するメール表示方法をコンピュータに実行させるメール表示プログラムにおいて、
前記受信メールの本文を表示画面に表示する表示手順と、
前記本文の末尾が前記表示画面に表示されたか否かを検出する末尾検出手順と、
前記本文の末尾が前記表示画面に表示されたことを検出すると、前記本文の末尾が検出された受信メールが既読状態のメールであるか未読状態のメールであるかの既読未読状態を既読状態として管理する既読未読管理手順と、
をコンピュータに実行させることを特徴とするメール表示プログラム。
【０１６５】
（付記１１）前記表示手順は、前記受信メールの一覧を前記表示画面に表示するとともに、
前記既読未読管理手順は、前記既読未読状態を示す情報を前記各受信メールに対応付けて前記表示画面に表示させることを特徴とする付記１０に記載のメール表示プログラム。
【０１６６】
（付記１２）前記末尾検出手順は、前記本文の末尾が前記表示画面に所定時間表示された場合に、前記本文の末尾が前記表示画面に表示されたことを検出することを特徴とする付記１０または１１に記載のメール表示プログラム。
【０１６７】
（付記１３）電子メールを送受信するとともに、受信メールに関する情報を表示するメール表示方法をコンピュータに実行させるメール表示プログラムにおいて、
前記受信メールの一覧および当該一覧内で選択されている前記受信メールの本文を、それぞれ一覧表示画面および本文表示画面として同時に表示する同時表示手順と、
キー入力される、前記受信メールの表示に関する指示を受け付けるキー操作手順と、
前記本文表示画面および前記一覧表示画面を同時に表示している状態で前記本文の表示態様を変更させる指示がキー入力されると、キー入力された指示に従って前記本文の表示態様を変更するよう制御する表示態様制御手順と、
をコンピュータに実行させることを特徴とするメール表示プログラム。
【０１６８】
（付記１４）前記本文の表示態様を変更させる指示と、前記本文を表示させる受信メールを前記一覧内で指定する指示とは、それぞれ異なるキーからキー入力されることを特徴とする付記１３に記載のメール表示プログラム。
【０１６９】
（付記１５）前記表示態様制御手順は、前記本文の表示態様に応じた表示態様で前記一覧の表示態様を変更するよう制御することを特徴とする付記１３または１４に記載のメール表示プログラム。
【０１７０】
（付記１６）前記表示態様制御手順は、キー入力される前記本文の表示態様を変更させる指示に基づいて前記本文表示画面および前記一覧表示画面の表示エリアを決定し、決定した表示エリアで前記本文表示画面および前記一覧表示画面の表示エリアを表示させることを特徴とする付記１３〜１５のいずれか１つに記載のメール表示プログラム。
【０１７１】
（付記１７）前記表示態様制御手順は、前記本文の表示態様を変更した後の前記本文全体の表示画面上での表示サイズに基づいて、前記本文表示画面および前記一覧表示画面の表示エリアを決定することを特徴とする付記１３〜１５のいずれか１つに記載のメール表示プログラム。
【０１７２】
（付記１８）前記本文の表示態様を変更させる指示は、前記本文を拡大表示させる指示、前記本文を縮小表示させる指示および前記本文をスクロール操作させる指示の少なくとも１つであることを特徴とする付記１３〜１７のいずれか１つに記載のメール表示プログラム。
【０１７３】
（付記１９）電子メールを送受信するとともに、受信メールに関する情報を表示するメール表示方法において、
前記受信メールの本文を表示画面に表示する表示ステップと、
前記本文の末尾が前記表示画面に表示されたか否かを検出する末尾検出ステップと、
前記本文の末尾が前記表示画面に表示されたことを検出すると、前記本文の末尾が検出された受信メールが既読状態のメールであるか未読状態のメールであるかの既読未読状態を既読状態として管理する既読未読管理ステップと、
を含むことを特徴とするメール表示方法。
【０１７４】
（付記２０）前記表示ステップは、前記受信メールの一覧を前記表示画面に表示するとともに、
前記既読未読管理ステップは、前記既読未読状態を示す情報を前記各受信メールに対応付けて前記表示画面に表示させることを特徴とする付記１９に記載のメール表示方法。
【０１７５】
（付記２１）前記末尾検出ステップは、前記本文の末尾が前記表示画面に所定時間表示された場合に、前記本文の末尾が前記表示画面に表示されたことを検出することを特徴とする付記１９または２０に記載のメール表示方法。
【０１７６】
（付記２２）電子メールを送受信するとともに、受信メールに関する情報を表示するメール表示方法において、
前記受信メールの一覧および当該一覧内で選択されている前記受信メールの本文を、それぞれ一覧表示画面および本文表示画面として同時に表示する同時表示ステップと、
キー入力される、前記受信メールの表示に関する指示を受け付けるキー操作ステップと、
前記本文表示画面および前記一覧表示画面を同時に表示している状態で前記本文の表示態様を変更させる指示がキー入力されると、キー入力された指示に従って前記本文の表示態様を変更するよう制御する表示態様制御ステップと、
を含むことを特徴とするメール表示方法。
【０１７７】
（付記２３）前記本文の表示態様を変更させる指示と、前記本文を表示させる受信メールを前記一覧内で指定する指示とは、それぞれ異なるキーからキー入力されることを特徴とする付記２２に記載のメール表示方法。
【０１７８】
（付記２４）前記表示態様制御ステップは、前記本文の表示態様に応じた表示態様で前記一覧の表示態様を変更するよう制御することを特徴とする付記２２または２３に記載のメール表示方法。
【０１７９】
（付記２５）前記表示態様制御ステップは、キー入力される前記本文の表示態様を変更させる指示に基づいて前記本文表示画面および前記一覧表示画面の表示エリアを決定し、決定した表示エリアで前記本文表示画面および前記一覧表示画面の表示エリアを表示させることを特徴とする付記２２〜２４のいずれか１つに記載のメール表示方法。
【０１８０】
（付記２６）前記表示態様制御ステップは、前記本文の表示態様を変更した後の前記本文全体の表示画面上での表示サイズに基づいて、前記本文表示画面および前記一覧表示画面の表示エリアを決定することを特徴とする付記２２〜２４のいずれか１つに記載のメール表示方法。
【０１８１】
（付記２７）前記本文の表示態様を変更させる指示は、前記本文を拡大表示させる指示、前記本文を縮小表示させる指示および前記本文をスクロール操作させる指示の少なくとも１つであることを特徴とする付記２２〜２６のいずれか１つに記載のメール表示方法。
【０１８２】
（付記２８）電子メールを送受信するとともに、受信メールに関する情報を表示する携帯端末装置に用いられる制御回路において、
前記受信メールの本文を表示画面に表示する表示部と、
前記本文の末尾が前記表示画面に表示されたか否かを検出する末尾検出部と、
前記受信メールが既読状態のメールであるか未読状態のメールであるかの既読未読状態を管理するとともに、前記本文の末尾が前記表示画面に表示されたことを前記末尾検出部が検出した場合に、前記本文の末尾が検出された受信メールの既読未読状態を既読状態として管理する既読未読管理部と、
を備えることを特徴とする制御回路。
【０１８３】
（付記２９）前記表示部は、前記受信メールの一覧を前記表示画面に表示するとともに、
前記既読未読管理部は、前記表示部が前記受信メールの一覧を前記表示画面に表示する際に、前記既読未読状態を示す情報を前記各受信メールに対応付けて前記表示画面に表示させることを特徴とする付記２８に記載の制御回路。
【０１８４】
（付記３０）前記末尾検出部は、前記本文の末尾が前記表示画面に所定時間表示された場合に、前記本文の末尾が前記表示画面に表示されたことを検出することを特徴とする付記２８または２９に記載の制御回路。
【０１８５】
（付記３１）電子メールを送受信するとともに、受信メールに関する情報を表示する携帯端末装置に用いられる制御回路において、
前記受信メールの一覧および当該一覧内で選択されている前記受信メールの本文を、それぞれ一覧表示画面および本文表示画面として同時に表示する表示部と、
キー入力される、前記受信メールの表示に関する指示を受け付けるキー操作部と、
前記表示部が前記本文表示画面および前記一覧表示画面を同時に表示している状態で前記キー操作部から前記本文の表示態様を変更させる指示がキー入力されると、前記キー操作部にキー入力された指示に従って前記本文の表示態様を変更するよう前記表示部を制御する表示態様制御部と、
を備えることを特徴とする制御回路。
【０１８６】
（付記３２）前記本文の表示態様を変更させる指示と、前記本文を表示させる受信メールを前記一覧内で指定する指示とは、それぞれ前記キー操作部の異なるキーに対応付けられていることを特徴とする付記３１に記載の制御回路。
【０１８７】
（付記３３）前記表示態様制御部は、前記本文の表示態様に応じた表示態様で前記一覧の表示態様を変更するよう前記表示部を制御することを特徴とする付記３１または３２に記載の制御回路。
【０１８８】
（付記３４）前記表示態様制御部は、前記キー操作部にキー入力される前記本文の表示態様を変更させる指示に基づいて前記本文表示画面および前記一覧表示画面の表示エリアを決定し、決定した表示エリアで前記表示部に前記本文表示画面および前記一覧表示画面の表示エリアを表示させることを特徴とする付記３１〜３３のいずれか１つに記載の制御回路。
【０１８９】
（付記３５）前記表示態様制御部は、前記本文の表示態様を変更した後の前記本文全体の表示画面上での表示サイズに基づいて、前記本文表示画面および前記一覧表示画面の表示エリアを決定することを特徴とする付記３１〜３３のいずれか１つに記載の制御回路。
【０１９０】
（付記３６）前記本文の表示態様を変更させる指示は、前記本文を拡大表示させる指示、前記本文を縮小表示させる指示および前記本文をスクロール操作させる指示の少なくとも１つであることを特徴とする付記３１〜３５のいずれか１つに記載の制御回路。
【産業上の利用可能性】
【０１９１】
以上のように、本発明に係る携帯端末装置、メール表示プログラムおよびメール表示方法は、受信メールの表示に適している。
【図面の簡単な説明】
【０１９２】
【図１】実施例に係るメール表示の概念を説明するための説明図である。
【図２】メール一覧とメール本文を同時に表示する場合の表示画面の一例を示す図である。
【図３】実施例に係る携帯端末装置の構成を示すブロック図である。
【図４】メール処理部の動作手順を示すフローチャートである。
【図５】キーイベント割付けテーブルの構成の一例を示す図である。
【図６】一覧表示処理部の動作手順を示すフローチャートである。
【図７】本文表示処理部の動作手順を示すフローチャートである。
【図８】メール本文がスクロール操作された場合の携帯端末装置の動作手順を示すフローチャートである。
【図９】メール本文のスクロール操作によってメール本文の末尾が表示される処理を説明するための図である。
【図１０】メール本文が拡大・縮小操作された場合の携帯端末装置の動作手順を示すフローチャートである。
【図１１】拡大縮小階調テーブルの構成の一例を示す図である。
【図１２】メール本文の拡大・縮小処理を説明するための図である。
【図１３】メール一覧画面とメール本文画面の表示領域の大きさを説明するための図である。
【図１４】メール一覧に受信メールの送信元を表示させる場合のメール一覧画面の一例を示す図である。
【図１５】メール表示プログラムを実行するコンピュータを示す図である。
【符号の説明】
【０１９３】
１  携帯端末装置
１１  キー操作部
１２  画面表示部
１３  通信制御部
１４  メール処理部
１５  一覧表示処理部
１６  本文表示処理部
１７  データベース
１８  拡大縮小制御部
１９Ａ  文字列レイアウト制御部
１９Ｂ  画像レイアウト制御部
２１  メール一覧画面
２２  メール本文画面
３０  コンピュータ
３１  操作パネル
３２  ディスプレイ
３５  ＨＤＤ
３６  ＲＡＭ
３７  ＲＯＭ
３８  ＣＰＵ
３９  バス
４１  末尾表示検出部
４２  既読・未読設定部
１０１  キーイベント割付けテーブル
１０２  拡大縮小階調テーブル
【図１】
2009075844.tif 000003
【図２】
2009075844.tif 000004
【図３】
2009075844.tif 000005
【図４】
2009075844.tif 000006
【図５】
2009075844.tif 000007
【図６】
2009075844.tif 000008
【図７】
2009075844.tif 000009
【図８】
2009075844.tif 000010
【図９】
2009075844.tif 000011
【図１０】
2009075844.tif 000012
【図１１】
2009075844.tif 000013
【図１２】
2009075844.tif 000014
【図１３】
2009075844.tif 000015
【図１４】
2009075844.tif 000016
【図１５】
2009075844.tif 000017